(57)【特許請求の範囲】
【請求項１】
デッキボードに、周壁部と底部と該底部の中央部に突設された柱状体とを有するグロメット圧入用凹部が形成されている合成樹脂製パレットにおいて、前記グロメット圧入用凹部を形成する周壁部と底部とには、空気抜けが形成されておらず、且つ、前記柱状体の外周面と前記グロメット圧入用凹部の周壁部の内周面を連結するとともに、所定の間隔を置いて配設された規制リブが、前記グロメット圧入用凹部の底部に形成されており、前記隣り合う規制リブ間には、グロメットの前記グロメット圧入用凹部への圧入の際の圧縮空気による反力を消滅する空気溜めとして機能する空間部が形成されていることを特徴とする合成樹脂製パレット。
【発明の詳細な説明】
【０００１】
【発明の属する技術分野】
本発明は、デッキボードに載置された荷物が滑り落ちないように、デッキボードに、防滑部材としてのグロメットが取着された合成樹脂製パレットに関するものである。
【０００２】
【従来の技術】
従来、デッキボードに形成された凹部に、グロメットが圧入された合成樹脂製パレットが知られている。例えば、図９に示されているように、デッキボード１には、凹部２が形成されており、凹部２を区画する底部２ａの中央部には、その先端２ｂ１が、デッキボード１の上面１ａより下がった所に位置する柱状体２ｂが突設されている。また、グロメット３は、筒状脚部３ａと天部３ｂとを有しており、筒状脚部３ａの外径は、凹部２の内径より、若干、大きく形成されており、また、筒状脚部３ａ内には、デッキボード１に形成された凹部２内に突設された柱状体２ｂが嵌入可能な空間部３ａ１が形成されている。デッキボード１に形成された凹部２に、グロメット３の筒状脚部３ａを圧入するとともに、筒状脚部３ａ内の空間部３ａ１に、デッキボード１に形成された凹部２内に突設された柱状体２ｂを嵌入させることにより、グロメット３の上部が、デッキボード１の上面１ａから突出するように、デッキボード１にグロメット３が取着されるように構成されている。
【０００３】
【発明が解決しようとする課題】
上述した従来の合成樹脂製パレットにおいては、デッキボード１の凹部２へのグロメット３の圧入作業の際には、凹部２内に存在する空気が、凹部２へのグロメット３の圧入作業により圧縮されることになるが、従来の合成樹脂製パレットには、凹部２内で圧縮された空気の逃げ場がないために、デッキボード１の凹部２に圧入されたグロメット３とデッキボード１との間４には、図１０に示されているように、高圧縮された空気が存在し、完全に、グロメット３を、デッキボード１の凹部２に圧入することができないという問題があった。このように、デッキボード１の凹部２に圧入されたグロメット３とデッキボード１との間４に、高圧縮された空気が存在すると、グロメット３が、デッキボード１の上面１ａから、必要以上に浮き上がることになり、しかも、この浮き上がり量が、グロメット３毎に異なるため、デッキボード１に載置される荷物が傾斜したりする等、不安定になったり、合成樹脂製パレットを．多数、積み重ねた際にも、積み重ねられた合成樹脂製パレット全体が傾斜し、不安定になるという問題があった。
【０００４】
本発明の目的は、上述した従来の合成樹脂製パレットが有する課題を解決することにある。
【０００５】
【課題を解決するための手段】
本発明は、上述した目的を達成するために、デッキボードに、周壁部と底部と該底部の中央部に突設された柱状体とを有するグロメット圧入用凹部が形成されている合成樹脂製パレットにおいて、前記グロメット圧入用凹部を形成する周壁部と底部とには、空気抜けが形成されておらず、且つ、前記柱状体の外周面と前記グロメット圧入用凹部の周壁部の内周面を連結するとともに、所定の間隔を置いて配設された規制リブが、前記グロメット圧入用凹部の底部に形成されており、前記隣り合う規制リブ間には、グロメットの前記グロメット圧入用凹部への圧入の際の圧縮空気による反力を消滅する空気溜めとして機能する空間部を形成したものである。
【０００６】
【実施例】
以下に、本発明の実施例について説明するが、本発明の趣旨を越えない限り何ら、本実施例に限定されるものではない。
【０００７】
Ｐは、合成樹脂製パレットであり、１０は、相対して配置されたデッキボードである。相対するデッキボード１０は、相対する側部桁１１及び側部桁１１間に位置する中間桁１２により連結されており、側部桁１１と中間桁１２との間には、フォーク差込孔１３が形成されている。本実施例には、一例として、合成樹脂製パレットＰの一方の相対する側面には、フォーク差込孔が形成されておらず、もう一方の相対する側面に、フォーク差込孔が形成された、所謂、２方差しの合成樹脂製パレットが示されている。
【０００８】
１４は、デッキボード１０に形成された、グロメット圧入用凹部であり、グロメット圧入用凹部１４は、周壁部１４ａと底部１４ｂとにより区画されており、また、底部１４ｂの中央部には、その上端１５ａが、デッキボード１０の上面１０ａより下がった所に位置する柱状体１５が突設されている。１６は、柱状体１５の外周面と周壁部１４ａの内周面を連結するとともに、底部１４ｂから所定の高さを有する、所定の間隔を置いて配設された規制リブであり、隣り合う規制リブ１６間には、空気溜めとして機能する空間部１７が形成されている。なお、本実施例においては、周壁部１４ａが円筒状に形成され、また、柱状体１５が、円柱状に形成されているが、周壁部１４ａを、多角形筒状に形成することも、また、柱状体１５を、多角形柱状に形成することもできる。
【０００９】
１８は、弾性変形可能なグロメットであり、グロメット１８は、デッキボード１０に形成されたグロメット圧入用凹部１４を区画する周壁部１４ａと柱状体１５との間に形成された環状の脚部圧入空間部１９ａに圧入可能な筒状の脚部１８ａと、グロメット圧入用凹部１４を区画する周壁部１４ａ内で、且つ、柱状体１５の上方に形成された上部空間部１９ｂに圧入される天部１８ｂとから形成されている。本実施例においては、グロメット圧入用凹部１４を区画する周壁部１４ａが円筒状に形成されているので、グロメット１８の脚部１８ａも、円筒状に形成されており、従って、脚部１８ａ内に嵌入される柱状体１５は、円柱状に形成されている。
【００１０】
グロメット１８の脚部１８ａの外径Ｄ１は、グロメット圧入用凹部１４を区画する周壁部１４ａの内径Ｄ２より、若干、大きく形成されており、また、グロメット１８の高さＨ１は、グロメット圧入用凹部１４を区画する底部１４ｂに形成された規制リブ１６の上面１６ａからデッキボード１０の上面１０ａまでの高さＨ２より、所望量だけ高く形成されており、グロメット１８が、グロメット圧入用凹部１４に圧入された際には、グロメット１８の高さＨ１と、底部１４ｂに形成された規制リブ１６の上面１６ａからデッキボード１０の上面１０ａまでの高さＨ２との差の分だけ、グロメット１８が、デッキボード１０の上面１０ａから突出するように構成されている。また、規制リブ１６の上面１６ａから柱状体１５の上端１５ａまでの高さＨ３は、グロメット１８の脚部１８ａ内の空間部の高さＨ４と同じか、グロメット１８の脚部１８ａ内の空間部の高さＨ４より、若干、低くなるように構成されている。更に、グロメット１８の脚部１８ａの肉厚Ｄ３は、グロメット圧入用凹部１４を区画する周壁部１４ａの内周面と柱状体１５の外周面との間の間隔Ｄ４と同じか、若干、厚くなるように構成されている。
【００１１】
グロメット１８は、グロメット１８の脚部１８ａを、周壁部１４ａと柱状体１５との間に形成された、グロメット圧入用凹部１４を構成する脚部圧入空間部１９ａに圧入するとともに、脚部１８ａ内に、柱状体１５を嵌入しながら、グロメット１８を、徐々に押し下げて、グロメット圧入用凹部１４に圧入することになるが、グロメット１８が、グロメット圧入用凹部１４に圧入された状態では、図４に示されているように、グロメット１８の脚部１８ａの下端が、グロメット圧入用凹部１４内に配設された規制リブ１６の上面１６ａに当接するとともに、上述したように、グロメット１８の高さＨ１と、底部１４ｂに形成された規制リブ１６の上面１６ａからデッキボード１０の上面１０ａまでの高さＨ２との差の分だけ、グロメット１８が、デッキボード１０の上面１０ａから突出することになる。
【００１２】
また、グロメット１８のグロメット圧入用凹部１４への圧入作業の際に圧縮される空気は、グロメット１８の脚部１８ａの下端が当接した規制リブ１６間に形成された空気溜めとして機能する空間部１７に溜められるように構成されているので、グロメット圧入用凹部１４に圧入されたグロメット１８には、従来のように、圧縮空気による大きな反力が作用することがないので、完全に、グロメット１８を、グロメット圧入用凹部１４に圧入することができるとともに、圧縮空気の大きな反力により、グロメット１８が浮き上がるようなことが、確実に防止できる。更に、グロメット１８のグロメット圧入用凹部１４への圧入作業の際には、グロメット１８には、従来のように、圧縮空気による大きな反力が作用することがないので、グロメット１８のグロメット圧入用凹部１４への圧入作業が容易になり、従って、グロメット１８のグロメット圧入用凹部１４への圧入作業時間を短縮化することができ、グロメット１８のグロメット圧入用凹部１４への圧入作業の作業性が向上する。
【００１４】
図５〜図７に示されている実施例は、柱状体１５を、下方に位置する大径柱状部１５’と、上方に位置する小径柱状部１５”とにより構成するとともに、柱状体１５の上端１５ａを、デッキボード１０の上面１０ａと一致させたものである。また、グロメット１８の天部１８ｂには、柱状体１５の小径柱状部１５”が一部嵌入可能な垂直な天孔１８ｃが穿設されている。
【００１５】
そして、上述した実施例と同様に、グロメット１８を、グロメット圧入用凹部１４に圧入した際には、柱状体１５の大径柱状部１５’と小径柱状部１５”との境界面１５ｂに、グロメット１８の天部１８ｂの下面１８ｂ１が載置されるように構成されている。必ずしも、柱状体１５の大径柱状部１５’と小径柱状部１５”との境界面１５ｂに、グロメット１８の天部１８ｂの下面１８ｂ１が載置される必要はないが、境界面１５ｂに、グロメット１８の天部１８ｂの下面１８ｂ１が載置されることにより、グロメット圧入用凹部１４に圧入されたグロメット１８が安定することになる。なお、グロメット１８が、グロメット圧入用凹部１４に圧入された際に、柱状体１５の小径柱状部１５”が、グロメット１８の天部１８ｂから突出しないように構成されている。
【００１６】
本発明は、上述したように、グロメット１８が、グロメット圧入用凹部１４に圧入された際に、グロメット１８の下方に、空気溜めとしての空間部１７が形成されるように構成したので、従来のように、グロメット１８に、圧縮空気による大きな反力が作用することがないので、完全に、グロメット１８を、グロメット圧入用凹部１４に圧入することができるとともに、圧縮空気の大きな反力により、グロメット１８が浮き上がるようなことが、確実に防止できる。更に、グロメット１８のグロメット圧入用凹部１４への圧入作業の際には、グロメット１８には、従来のように、圧縮空気による大きな反力が作用することがないので、グロメット１８のグロメット圧入用凹部１４への圧入作業が容易になり、従って、グロメット１８のグロメット圧入用凹部１４への圧入作業時間を短縮化することができ、グロメット１８のグロメット圧入用凹部１４への圧入作業の作業性が向上する。
【００１７】
また、グロメット圧入用凹部１４を区画する周壁部１４ａと底部１４ｂには、グロメット１８のグロメット圧入用凹部１４への圧入作業を容易にする空気抜け孔が形成されていないので、合成樹脂製パレットＰの長期間の使用により、側部桁１１や中間桁１２に位置するデッキボード１０に配設されたグロメット１８の外周面と周壁部１４ａとの境界に形成された隙間から、グロメット圧入用凹部１４に、雨水や洗浄液が浸入したとしても、閉鎖され、水捌けが困難な側部桁１１や中間桁１２に、雨水や洗浄液が浸入するようなことが防止できる。
【００１９】
本実施例には、合成樹脂製パレットＰの一方の相対する側面には、フォーク差込孔が形成されておらず、もう一方の相対する側面に、フォーク差込孔が形成された、所謂、２方差しの合成樹脂製パレットが示されているが、一方の相対する側面にも、フォーク差込孔が形成された、所謂、４方差しの合成樹脂製パレットにも、本発明を適用することができる。
【００２０】
【発明の効果】
本発明は、以上説明した構成を有しているので、以下に記載する効果を奏するものである。
【００２１】
グロメットが、グロメット圧入用凹部に圧入された際に、グロメットの下方に、空気溜めとしての空間部が形成されているので、従来のように、グロメットに、圧縮空気による大きな反力が作用することがなく、従って、完全に、グロメットを、グロメット圧入用凹部に圧入することができるとともに、圧縮空気の大きな反力により、グロメットが浮き上がるようなことが、確実に防止できる。
【００２２】
また、グロメットのグロメット圧入用凹部への圧入作業の際には、グロメットには、従来のように、圧縮空気による大きな反力が作用することがないので、グロメットのグロメット圧入用凹部への圧入作業が容易になり、従って、グロメットのグロメット圧入用凹部への圧入作業時間を短縮化することができ、グロメットのグロメット圧入用凹部への圧入作業の作業性が向上する。
【図面の簡単な説明】
【図１】  図１は本発明の合成樹脂製パレットの斜視図である。
【図２】  図２は本発明の合成樹脂製パレットのグロメットを圧入する前の部分斜視図である。
【図３】  図３は本発明の合成樹脂製パレットのグロメットを圧入する前の部分垂直断面図である。
【図４】  図４は本発明の合成樹脂製パレットのグロメットが圧入された状態の部分垂直断面図である。
【図５】  図５は本発明の他の実施例の合成樹脂製パレットのグロメットを圧入する前の部分斜視図である。
【図６】  図６は本発明の他の実施例の合成樹脂製パレットのグロメットを圧入する前の部分垂直断面図である。
【図７】  図７は本発明の他の実施例の合成樹脂製パレットのグロメットが圧入された状態の部分垂直断面図である。
【図８】  図８は従来の合成樹脂製パレットのグロメットを圧入する前の部分垂直断面図である。
【図９】  図９は従来の合成樹脂製パレットのグロメットが圧入された状態の部分垂直断面図である。
【符号の説明】
Ｐ・・・・・・・・・・・合成樹脂製パレット
１０・・・・・・・・・・デッキボード
１４・・・・・・・・・・グロメット圧入用凹部
１６・・・・・・・・・・規制部材
１７・・・・・・・・・・空間部
１８・・・・・・・・・・グロメット
【図１】
0004651829.tif 000002
【図２】
0004651829.tif 000003
【図３】
0004651829.tif 000004
【図４】
0004651829.tif 000005
【図５】
0004651829.tif 000006
【図６】
0004651829.tif 000007
【図７】
0004651829.tif 000008
【図８】
0004651829.tif 000009
【図９】
0004651829.tif 000010